(57)【要約】【課題】ピント調整作業の容易化および調整精度の向上を図ること。【解決手段】主鏡筒１０２に支持されたレンズ１０４における光軸周りに回転可能なフォーカスリング１０９の回転半径方向にフォーカスリング１０９を貫通し、主鏡筒１０２との摩擦によってフォーカスリング１０９の回転を固定するように主鏡筒１０２に当接する当接位置と当接位置とは異なる解除位置との間で変位自在なロックビス１１５と、ロックビス１１５を当接位置から解除位置側に付勢するバネと、ロックビス１１５を当接位置に位置付ける位置付け機構と、を設け、主鏡筒１０２に対してフォーカスリング１０９を固定するようにした。【選択図】図１
2008052193.tif 000002
【特許請求の範囲】
【請求項１】
支持部材に支持された光学部材における光軸周りに回転可能な回転部材を前記支持部材に対して固定する回転ロック機構であって、
前記回転部材の回転半径方向に当該回転部材を貫通し、前記支持部材との摩擦によって前記回転部材の回転を固定するように前記支持部材に当接する当接位置と当該当接位置とは異なる解除位置との間で変位自在な規制部材と、
前記規制部材を前記当接位置から前記解除位置側に付勢する付勢部材と、
前記規制部材を前記当接位置に位置付ける位置付け機構と、
を備えることを特徴とする回転ロック機構。
【請求項２】
前記位置付け機構は、前記回転部材および前記規制部材に設けられた突起部材の係合によって前記規制部材を前記当接位置に位置付けることを特徴とする請求項１に記載の回転ロック機構。
【請求項３】
光学部材を当該光学部材の光軸方向に移動可能に支持する鏡筒と、
前記鏡筒の外周側において前記光軸周りに回転可能に設けられて、回転することによって前記光学部材を前記光軸方向に移動させる回転部材と、
前記回転部材の回転半径方向に当該回転部材を貫通し、前記鏡筒との摩擦によって前記回転部材の回転を固定するように前記鏡筒に当接する当接位置と当該当接位置とは異なる解除位置との間で変位自在な規制部材と、
前記規制部材を前記当接位置から前記解除位置側に付勢する付勢部材と、
前記規制部材を前記当接位置に位置付ける位置付け機構と、
を備えることを特徴とする光学装置。
【請求項４】
請求項３に記載の光学装置と、
前記光学装置を介して入射された光を電気信号に変換する撮像用の光電変換素子を含む撮像機構と、
を備えることを特徴とする撮像装置。
【発明の詳細な説明】
【技術分野】
【０００１】
この発明は、回転ロック機構、光学装置、および撮像装置に関する。
【背景技術】
【０００２】
従来、鏡筒内に保持されたレンズを鏡筒の外周側に設けられたフォーカスリングの回転量に応じて光軸方向に移動させることでピント調整をおこなうレンズ装置があった。このようなレンズ装置には、フォーカスリングの回転に要するトルク（以下、「フォーカストルク」という）の大きさを可変とした技術があった。ピント調整は、フォーカストルクの大きさを調整することによって微調整がし易くなり、微調整によって調整精度の向上を図ることができる。
【０００３】
フォーカストルクの大きさを調整する技術としては、従来、たとえば、光軸方向にフォーカスリングを付勢する付勢力を作用させるトルク可変リングを備え、トルク可変リングがフォーカスリングに加える付勢力を調整することで、ピント調整に際してのフォーカストルクの大きさを可変とした技術があった（たとえば、下記特許文献１を参照。）。
【０００４】
また、従来、ピント調整を可能にしたレンズ装置では、調整したピントがずれないように、フォーカスリングの位置を固定するようにした技術があった。このような技術としては、従来、たとえば、フォーカスリングに対してフォーカスリングの半径方向に螺合され、先端を鏡筒に当接させることによる鏡筒との摩擦によってフォーカスリングの位置を固定するロック用のネジを備えるレンズ装置があった。
【０００５】
ロック用のネジを備えるレンズ装置では、ロック用のネジを過剰に締め込んだ場合に鏡筒に孔があいてしまうことが懸念されるため、従来、たとえば、レンズ装置の光軸方向に沿って鏡筒に螺合されたネジの一部にプレート状部材を設け、鏡筒から抜ける方向にネジが回転する際にプレート状部材をリング状部材に押し当てることによって、フォーカスリングの位置を固定するようにした技術があった（たとえば、下記特許文献２を参照。）。
【０００６】
【特許文献１】特開平１０−１４８７４８号公報
【特許文献２】特開２００４−０５４１８６号公報
【発明の開示】
【発明が解決しようとする課題】
【０００７】
しかしながら、上述した特許文献１に記載された技術では、フォーカスリングの回転に要するトルクの大きさを変えるごとにトルク可変リングを操作しなくてはならず、フォーカストルクの大きさを調整する作業が煩雑になるという問題があった。また、特許文献１に記載された技術では、フォーカスリングを回転させている最中にトルク可変リングを操作することは困難であるため、状況に応じた微調整ができないという問題があった。
【０００８】
また、上述した特許文献２に記載された技術では、フォーカスリングの回転をロックするためには、ストッパープレートを操作リングまたは鏡筒本体に形成された溝の内周面に押しつけた状態でツマミを回転させなくてはならず、ツマミを回転させている間にフォーカスリングが回転してピントがずれてしまうことが懸念されるという問題があった。
【０００９】
この発明は、上述した従来技術による問題点を解消するため、ピント調整作業の容易化および調整精度の向上を図ることができる回転ロック機構、光学装置、および撮像装置を提供することを目的とする。
【００１０】
この発明は、さらに、ピント調整にともなう破損を防止することができる回転ロック機構、光学装置、および撮像装置を提供することを目的とする。
【００１１】
この発明は、さらに、調整後のピントのずれを防止することができる回転ロック機構、光学装置、および撮像装置を提供することを目的とする。
【課題を解決するための手段】
【００１２】
この発明にかかる回転ロック機構は、支持部材に支持された光学部材における光軸周りに回転可能な回転部材を前記支持部材に対して固定する回転ロック機構であって、前記回転部材の回転半径方向に当該回転部材を貫通し、前記支持部材との摩擦によって前記回転部材の回転を固定するように前記支持部材に当接する当接位置と当該当接位置とは異なる解除位置との間で変位自在な規制部材と、前記規制部材を前記当接位置から前記解除位置側に付勢する付勢部材と、前記規制部材を前記当接位置に位置付ける位置付け機構と、を備えることを特徴とする。
【００１３】
この発明によれば、回転部材の回転のために回転部材を把持させると同時に付勢部材による付勢力に抗して規制部材を当接位置側へ移動させることで、回転部材の回転中に回転部材の回転に要するトルクを適宜調整することができる。これによって、回転ロック機構はピント調整作業の容易化および調整精度の向上を図ることができる。そして、これによって、回転ロック機構を利用する利用者は、回転部材を回転させながら回転部材の回転に要するトルクを適宜調整することができるので、ピント調整を容易かつ精度よくおこなうことができる。
【００１４】
また、この発明にかかる回転ロック機構における前記位置付け機構は、前記回転部材および前記規制部材に設けられた突起部材の係合によって前記規制部材を前記当接位置に位置付けることを特徴とする。
【００１５】
この発明によれば、支持部材に対して過剰な負荷をかけることなく、規制部材を当接位置に位置付けることができる。これによって、回転ロック機構は、ピント調整にともなう回転ロック機構の破損を防止し、回転ロック機構の耐久性の向上を図ることができる。また、この発明によれば、回転部材を不用意に回転させるような外力を作用させることなく、規制部材を当接位置に位置付けることができる。これによって、回転ロック機構は、調整後のピントのずれを防止することができる。
【００１６】
さらに、この発明によれば、簡易な構成によって規制部材を当接位置に容易に位置付けることができる。これによって、回転ロック機構は、構成の簡易化および規制部材を当接位置に位置付ける作業の容易化を図ることができる。そして、これによって、回転ロック機構を利用する利用者は、ピント調整を容易かつ精度よくおこなうことができる。
【００１７】
また、この発明にかかる光学装置は、光学部材を当該光学部材の光軸方向に移動可能に支持する鏡筒と、前記鏡筒の外周側において前記光軸周りに回転可能に設けられて、回転することによって前記光学部材を前記光軸方向に移動させる回転部材と、前記回転部材の回転半径方向に当該回転部材を貫通し、前記鏡筒との摩擦によって前記回転部材の回転を固定するように前記鏡筒に当接する当接位置と当該当接位置とは異なる解除位置との間で変位自在な規制部材と、前記規制部材を前記当接位置から前記解除位置側に付勢する付勢部材と、前記規制部材を前記当接位置に位置付ける位置付け機構と、を備えることを特徴とする。
【００１８】
この発明によれば、回転部材の回転のために回転部材を把持させると同時に付勢部材による付勢力に抗して規制部材を当接位置側へ移動させることで、回転部材の回転中に回転部材の回転に要するトルクを適宜調整することができる。これによって、光学装置は、ピント調整作業の容易化および調整精度の向上を図ることができる。そして、これによって、光学装置を利用する利用者は、回転部材を回転させながら回転部材の回転に要するトルクを適宜調整することができるので、ピント調整を容易かつ精度よくおこなうことができる。
【００１９】
また、この発明にかかる撮像装置は、上述した光学装置と、前記光学装置を介して入射された光を電気信号に変換する撮像用の光電変換素子を含む撮像機構と、を備えることを特徴とする。
【００２０】
この発明によれば、光学装置を介して撮像装置内に入射する外光のピントを、光電変換素子の位置に精度よく合わせることができるので、撮像装置の利用者は、鮮明な画像を得ることができる。
【発明の効果】
【００２１】
この発明にかかる回転ロック機構、光学装置、および撮像装置によれば、ピント調整作業の容易化および調整精度の向上を図ることができる。また、この発明にかかる回転ロック機構、光学装置、および撮像装置によれば、さらに、ピント調整にともなう破損を防止することができる。また、この発明にかかる回転ロック機構、光学装置、および撮像装置によれば、さらに、調整後のピントのずれを防止することができる。
【発明を実施するための最良の形態】
【００２２】
以下に添付図面を参照して、この発明にかかる回転ロック機構、光学装置、および撮像装置の好適な実施の形態を詳細に説明する。この実施の形態は、この発明にかかる回転ロック機構、光学装置、および撮像装置を実現するズームレンズ装置への適用例を示す。
【００２３】
（実施の形態１）
図１は、実施の形態１のズームレンズ装置を示す断面図である。はじめに、図１を用いて、実施の形態１のズームレンズ装置の構成について説明する。図１に示したように、実施の形態１のズームレンズ装置１００は、ズームレンズ装置１００の光軸方向を軸心方向とする略円筒形状のレンズ鏡筒１０１を備えている。
【００２４】
ズームレンズ装置１００は、レンズ鏡筒１０１の一端側を撮像装置に連結して使用される。撮像装置は、ズームレンズ装置１００を介して入射した外光の強度に応じた電気信号を出力する撮像用の光電変換素子を備えている。撮像用の光電変換素子は、具体的には、たとえば、ＣＣＤ（Ｃｈａｒｇｅ  Ｃｏｕｐｌｅｄ  Ｄｅｖｉｃｅ）などによって実現される。
【００２５】
レンズ鏡筒１０１は、ズームレンズ装置１００が撮像装置に連結された状態において、撮像装置とは反対側に位置付けられる支持部材としての主鏡筒１０２と、撮像装置側に位置付けられる副鏡筒１０３と、を備えている。主鏡筒１０２の内側にはレンズ１０４が設けられており、副鏡筒１０３の内側にはレンズ１０５が設けられている。レンズ１０４，１０５は、一連の光軸上に設けられている。
【００２６】
レンズ１０４はレンズ枠１０６によって保持されており、レンズ１０５はレンズ枠１０７によって保持されている。また、主鏡筒１０２と副鏡筒１０３の間には、レンズ１０４を通過し、レンズ１０５に入射する光量を調整する絞り部材１０８が設けられている。公知の技術であるため説明を省略するが、絞り部材１０８は、レンズ１０５に入射する光量を制限し、撮像用の光電変換素子に入射する光量を変化させ、撮像用の光電変換素子における露出を調節する。
【００２７】
主鏡筒１０２の外周側には、回転部材としてのフォーカスリング１０９が設けられている。フォーカスリング１０９は、光軸を軸心とする略円筒形状を有しており、主鏡筒１０２に対して光軸周りに回転自在に設けられている。副鏡筒１０３の外周側には、ズームリング１１０が設けられている。ズームリング１１０は、光軸を軸心とする略円筒形状を有しており、副鏡筒１０３に対して光軸周りに回転自在に設けられている。
【００２８】
レンズ枠１０６およびレンズ枠１０７は、それぞれ、主鏡筒１０２および副鏡筒１０３に設けられて光軸方向を長手方向とするスリット（縦溝）に挿入された支持片１１１，１１２を備えている。図１において、スリット（縦溝）は図示を省略する。支持片１１１および支持片１１２は、それぞれ、主鏡筒１０２および副鏡筒１０３の外周側に貫通し、フォーカスリング１０９およびズームリング１１０の内周側に設けられたカム溝（符号を省略）に係合されている。カム溝は、たとえば、光軸を軸心とする螺旋状など、光軸に対して傾斜するように設けられている。
【００２９】
主鏡筒１０２または副鏡筒１０３に対してフォーカスリング１０９またはズームリング１１０を光軸周りに回転させると、カム溝に係合している支持片１１１または支持片１１２がフォーカスリング１０９またはズームリング１１０の回転に連れられて光軸周りに回転しようとする。支持片１１１，１１２は、スリット（縦溝）によって光軸回りへの移動が規制されていることから、フォーカスリング１０９またはズームリング１１０が回転すると、フォーカスリング１０９またはズームリング１１０の回転にともなってカム溝に対する係合位置を変えながら、光軸方向にのみ移動する。
【００３０】
ズームレンズ装置１００は、主鏡筒１０２に対するフォーカスリング１０９の回転を規制する回転ロック機構１１３を備えている。回転ロック機構１１３は、フォーカスリング１０９に設けられて、フォーカスリング１０９の径方向を軸心方向とするビス孔１１４と、ビス孔１１４に挿入される規制部材としてのロックビス１１５と、を備えている。
【００３１】
ロックビス１１５の先端は、ビス孔１１４に挿入された状態で、主鏡筒１０２の外周面に当接する。ロックビス１１５は、先端部分と主鏡筒１０２との摩擦によって主鏡筒１０２に対するフォーカスリング１０９の回転を規制し、フォーカスリング１０９の位置を固定する。この状態で、フォーカスリング１０９とロックビス１１５とを係合させることにより、主鏡筒１０２に対するフォーカスリング１０９の回転規制が保持される（図２を参照）。
【００３２】
ズームリング１１０には、ズームリング１１０の径方向を軸心方向とするロックネジ１１６が設けられている。ロックネジ１１６の先端は、副鏡筒１０３の外周面に当接されている。ロックネジ１１６は、先端部分と副鏡筒１０３との摩擦によって副鏡筒１０３に対するズームリング１１０の回転を規制し、ズームリング１１０の位置を固定する。
【００３３】
図１中符号１１７は、フォーカスリング１０９を、ズームリング１１０から離反する方向に付勢するフォーカスバネである。また、図１中符号１１８は、フォーカスバネ１１７によって付勢されるフォーカスリング１０９が当接されるストッパー部材である。
【００３４】
図２は、回転ロック機構１１３を示す斜視図である。つぎに、図２を用いて、回転ロック機構１１３について説明する。図２に示したように、回転ロック機構１１３は、ロックビス１１５，ストッパー２０１，付勢部材としてのバネ２０２，およびビス孔１１４を構成するビス孔部材２０３を備えている。ストッパー２０１は、分割片２０１ａ，２０１ｂを組み合わせることによって構成されている。
【００３５】
ストッパー２０１は、ロックビス１１５に取り付けられて、ビス孔１１４に挿入されたロックビス１１５がビス孔１１４から抜けないように、ロックビス１１５をビス孔１１４内に位置付ける。バネ２０２は、ビス孔１１４内に位置付けられて、ロックビス１１５に設けられたバネ受け部材２０４を介して、ロックビス１１５を主鏡筒１０２から離反する方向に付勢する。
【００３６】
ロックビス１１５には、ロックビス１１５を回転させる際に作業者が把持するためのツマミ２０５が設けられている。バネ受け部材２０４は、ロックビス１１５の軸心を間にして対向するように対をなしている。ロックビス１１５は、ロックビス１１５の軸心から外周側に向かって突出する形状を有している。
【００３７】
図２中符号２０６は、ロックビス１１５の軸心から外周側に突出するリブである。図２中符号を省略するが、リブ２０６は、ストッパー２０１に設けられた切り欠き部内に位置付けられる。切り欠き部は、分割片２０１ａ，２０１ｂを組み合わせてストッパー２０１を構成した状態で形成される。リブ２０６は、ロックビス１１５がロックビス１１５の軸心周りに回転することで切り欠き部内で変位する。ロックビス１１５の回転量は、リブ２０６および切り欠き部によって制限されている。実施の形態１では、ロックビス１１５の回転量は９０度となるように設計されている。
【００３８】
図３は、ビス孔部材２０３を示す斜視図である。つぎに、図３を用いて、ビス孔部材２０３について説明する。図３に示したように、ビス孔部材２０３は、フォーカスリング１０９の径方向を軸心方向とするビス孔１１４を備えている。ビス孔部材２０３におけるビス孔１１４は、上述したストッパー２０１を保持するストッパー保持部３０１と、ストッパー保持部３０１を介してビス孔１１４内に挿入されたロックビス１１５をビス孔１１４内で回転自在とする回転保持部３０２と、を備えている。
【００３９】
ストッパー保持部３０１と回転保持部３０２との間には、抜け止め部３０３が設けられている。抜け止め部３０３は、ビス孔１１４の内側に向けて突出する一対の抜け止めリブ３０４を備えている。抜け止め部３０３は、ロックビス１１５のバネ受け部材２０４に対してツマミ２０５側から抜け止めリブ３０４を当接させることで、回転保持部３０２に位置付けられたロックビス１１５の回転保持部３０２からの抜けを防止する。
【００４０】
ビス孔部材２０３において、回転保持部３０２を間にして抜け止め部３０３とは反対側には、貫通防止部３０５が設けられている。貫通防止部３０５は、ビス孔１１４の内側に向けて突出する一対の貫通防止リブ３０６を備えている。一対の貫通防止リブ３０６は、ビス孔部材２０３の軸心方向に直交する面内において、一対の抜け止めリブ３０４の対向方向に直交する方向に対向するように設けられている。貫通防止部３０５は、ロックビス１１５のバネ受け部材２０４に対して、バネ２０２を間にして、先端側から貫通防止リブ３０６を当接させることで、ロックビス１１５の先端が主鏡筒１０２に過剰な圧力で当接することを防止する。
【００４１】
図４〜図７は、回転ロック機構１１３の取り付け工程について説明する説明図（（その１）〜（その４））である。つぎに、図４〜図７を用いて、回転ロック機構１１３の取り付け工程について説明する。回転ロック機構１１３の組み立て作業に際して、組み立て作業をおこなう作業者は、まず、図４に示したように、バネ２０２をビス孔１１４内に位置付けた状態で、ロックビス１１５をビス孔１１４内に挿入する。作業者は、ツマミ２０５の長手方向と光軸方向とが平行になる状態で、ロックビス１１５をビス孔１１４内に挿入する。
【００４２】
つづいて、作業者は、ロックビス１１５の先端が主鏡筒１０２の外周面に当接するまでロックビス１１５をビス孔１１４内に挿入する前に、図５に示したように、ロックビス１１５を間にして分割片２０１ａ，２０１ｂを組み合わせ、ロックビス１１５にストッパー２０１を取り付ける。分割片２０１ａ，２０１ｂは、組み合わされた後に接着剤などを用いて互いに固定される。ストッパー２０１は、ロックビス１１５に対して固定されておらず、ロックビス１１５に対してロックビス１１５の軸心周りに相対的に回転可能な状態とされている。ストッパー２０１は、ロックビス１１５に対してバネ受け部材２０４よりもツマミ２０５側に取り付けられる。
【００４３】
つづいて、作業者は、図６に示したように、ストッパー２０１がストッパー保持部３０１に位置付けられるまで、ロックビス１１５をビス孔１１４内に挿入する。図６に示した状態では、ロックビス１１５は、バネ２０２がバネ受け部材２０４に加える付勢力によって、主鏡筒１０２の外周面から離間する方向に付勢されており、主鏡筒１０２に対してフォーカスリング１０９が回転可能な程度の当接力で主鏡筒１０２の外周面に当接している。
【００４４】
ロックビス１１５は、ロックビス１１５におけるバネ受け部材２０４が、抜け止め部３０３内に位置づけられている状態のときに、主鏡筒１０２に対してフォーカスリング１０９が回転可能な程度の当接力で主鏡筒１０２の外周面に当接している。ロックビス１１５の先端は、主鏡筒１０２の外周面から離間していてもよい。なお、図６に示した状態におけるロックビス１１５は、ロックビス１１５に対して光軸方向への付勢力が加えられていない場合にも、ストッパー２０１によってビス孔１１４からの抜けが防止されている。
【００４５】
つづいて、作業者は、ツマミ２０５を把持して、図７に示したように、ロックビス１１５をロックビス１１５の軸心回りに回転させる。これにより、ロックビス１１５のバネ受け部材２０４に対してツマミ２０５側から抜け止めリブ３０４が当接し、ロックビス１１５がビス孔１１４内に位置付けられる。
【００４６】
ロックビス１１５は、図７に示した状態において、主鏡筒１０２に対してフォーカスリング１０９を固定し、主鏡筒１０２に対するフォーカスリング１０９の回転を規制する程度の当接力で主鏡筒１０２の外周面に当接している。実施の形態１では、図７に示した状態のバネ受け部材２０４および抜け止めリブ３０４によって位置付け機構が実現されている。また、実施の形態１では、図７に示した状態のロックビス１１５の位置が当接位置であり、図６に示した状態のロックビス１１５の位置が解除位置である。
【００４７】
実施の形態１では、主鏡筒１０２に対してフォーカスリング１０９が回転可能な程度の当接力で主鏡筒１０２の外周面に当接している状態を、ロックビス１１５が解除位置に位置づけられている状態としたが、これにかぎるものではない。ロックビス１１５の解除位置は、ロックビス１１５の先端部分は、フォーカスリング１０９の位置を固定しない位置に位置づけられていればよく、たとえば、フォーカスリング１０９の外周面から離間していてもよい。
【００４８】
上述した構成において、ズームレンズ装置１００のピント調整作業をおこなう作業者は、ピント調整作業に際して、まず、ツマミ２０５を把持してロックビス１１５をロックビス１１５の軸心回りに回転させ、図６に示した状態にする。つづいて、フォーカスリング１０９を把持して、主鏡筒１０２に対して光軸周りにフォーカスリング１０９を回転させる。このとき、作業者は、撮像装置が撮像した画像を専用のモニタなどを介して視認しながら、モニタに映し出される画像のピントがおおよそ合う位置までフォーカスリング１０９を回転させる。
【００４９】
つづいて、作業者は、ロックビス１１５が光軸側に移動するようにロックビス１１５を付勢した状態でモニタに映し出される画像のピントが合う位置までフォーカスリング１０９を回転させる。作業者は、たとえば、人差し指でロックビス１１５を付勢し、フォーカスリング１０９において光軸を間にしてロックビス１１５とは反対側を親指で触れた状態でフォーカスリング１０９を回転させる。これにより、フォーカスリング１０９の回転に要するトルク（以下、「フォーカストルク」という）の大きさを大きくすることができる。
【００５０】
フォーカストルクの大きさは、ロックビス１１５を主鏡筒１０２に付勢する付勢力の大きさによって調整することができる。具体的には、たとえば、上述したように人差し指と親指とによってフォーカスリング１０９を把持している場合には、フォーカスリング１０９を把持する力を強めるなどすることによって、ロックビス１１５を主鏡筒１０２に付勢する付勢力を大きくすることができる。ズームレンズ装置１００においては、ロックビス１１５を主鏡筒１０２に付勢する付勢力を調整するだけで、フォーカストルクの大きさを容易に調整することができる。
【００５１】
フォーカストルクが大きくなると、フォーカスリング１０９をゆっくり回転させやすくなるので、フォーカスリング１０９の回転を、ピントが丁度合う位置（以下、「ジャスピン位置」という）で止めやすくなる。これによって、ジャスピン位置を行き過ぎてフォーカスリング１０９を回転させる、という状況が生じにくくなり、ピント調整精度の向上を図ることができる。
【００５２】
上述したように、実施の形態１によれば、フォーカスリング１０９の回転のためにフォーカスリング１０９を把持させると同時にバネ２０２による付勢力に抗してロックビス１１５を当接位置側へ移動させることで、フォーカスリング１０９の回転中にフォーカストルクを適宜調整することができる。
【００５３】
これによって、回転ロック機構１１３はピント調整作業の容易化および調整精度の向上を図ることができる。そして、これによって、ズームレンズ装置１００を利用する利用者は、フォーカスリング１０９を回転させながらフォーカストルクを適宜調整することができるので、ピント調整を容易かつ精度よくおこなうことができる。
【００５４】
また、実施の形態１によれば、主鏡筒１０２に対して過剰な負荷をかけることなく、ロックビス１１５を当接位置に位置付けることができる。これによって、回転ロック機構１１３は、ピント調整にともなう回転ロック機構１１３の破損を防止し、回転ロック機構１１３の耐久性の向上を図ることができる。
【００５５】
たとえば、フォーカスリング１０９の外周側から内周側に挿入されたネジの先端を主鏡筒１０２に当接させることによって、フォーカスリング１０９の回転を固定するような従来の回転ロック機構では、ネジを強く締めた際にネジの回転力がフォーカスリング１０９を回転させるような力として作用し、フォーカスリング１０９が回転してしまった場合には、ピント調整したレンズ１０４の位置がずれてしまう懸念があった。
【００５６】
これに対し、実施の形態１によれば、フォーカスリング１０９を不用意に回転させるような外力を作用させることなく、ロックビス１１５を当接位置に位置付けることができる。これによって、回転ロック機構１１３は、調整後のピントのずれを防止することができる。
【００５７】
さらに、実施の形態１によれば、簡易な構成によってロックビス１１５を当接位置に容易に位置付けることができる。これによって、回転ロック機構１１３は、構成の簡易化およびロックビス１１５を当接位置に位置付ける作業の容易化を図ることができる。そして、これによって、回転ロック機構１１３を利用する利用者は、ピント調整を容易かつ精度よくおこなうことができる。
【００５８】
また、実施の形態１によれば、ズームレンズ装置１００を介して撮像装置内に入射する外光のピントを、撮像用の光電変換素子の位置に精度よく合わせることができるので、撮像装置の利用者は、鮮明な画像を得ることができる。
【００５９】
以上説明したように、実施の形態１のズームレンズ装置１００によれば、ピント調整作業の容易化および調整精度の向上を図ることができる。また、実施の形態１のズームレンズ装置１００によれば、さらに、ピント調整にともなう破損を防止することができる。また、実施の形態１のズームレンズ装置１００によれば、さらに、調整後のピントのずれを防止することができる。
【００６０】
図示を省略するが、ロックビス１１５の先端には、ロックビス１１５と主鏡筒１０２の外周面との間に位置する弾性部材を設けてもよい。弾性部材は、主鏡筒１０２に対するフォーカスリング１０９の回転に支障を来たすことのないように、主鏡筒１０２の外周面に対して円滑にスライド可能な表面性を有する材料性によって形成されていることが好ましい。弾性部材は、一部材であってもよいし、複数部材によって構成されていてもよい。
【００６１】
複数部材によって構成する場合、具体的には、たとえば、主鏡筒１０２の外周面に当接する球体と、当該球体を主鏡筒１０２の外周面に当接する方向に付勢する付勢部材と、によって構成することができる。いずれの場合にも、弾性部材は、ロックビス１１５が当接位置に位置づけられた状態においては、それ以上の弾性変形が不可能な状態まで弾性変形するように設けられているものとする。弾性部材を設けることによって、フォーカストルクの調整を一層円滑におこなうことができる。
【００６２】
なお、実施の形態１においては、フォーカスリング１０９に対して別体とされたビス孔部材２０３を用いて回転ロック機構１１３を実現する例について説明したが、これにかぎるものではない。図示を省略するが、フォーカスリング１０９に直接ビス孔１１４を設けてもよい。これによって、フォーカスリング１０９にビス孔部材２０３を取り付ける作業工程数および部品点数を低減することができる。
【００６３】
（実施の形態２）
図８は、実施の形態２のズームレンズ装置が備えるロックビスを示す側面図である。つぎに、図８を用いて、実施の形態２のズームレンズ装置が備えるロックビスの構成について説明する。実施の形態２では、上述した実施の形態１と同一部分は同一符号であらわし、説明を省略する。図８に示したように、実施の形態１のズームレンズ装置１００が備えるロックビス８００は、ツマミ部８０１とストッパー８０２と軸部材８０３とによって構成されている。
【００６４】
ストッパー８０２は、一部材によって構成されている。ツマミ部８０１およびストッパー８０２には、軸部材８０３が挿入される挿入孔８０４，８０５が設けられている。回転ロック機構１１３の組み立て作業に際して、組み立て作業をおこなう作業者は、まず、軸部材８０３をビス孔１１４に挿入し、つづいて挿入孔８０５内に軸部材８０３が挿入されるように、軸部材８０３にストッパー８０２を取り付ける。
【００６５】
つづいて、挿入孔８０４内に軸部材８０３が挿入されるように、軸部材８０３にツマミ部８０１を取り付ける。これによって、ロック機構１１３が組み立てられ、上述した図６に示した状態となる。
【００６６】
上述したように、実施の形態２によれば、ストッパー８０２が一部材で構成されているので、ストッパー８０２を取り付ける作業の容易化を図ることができる。
【産業上の利用可能性】
【００６７】
以上のように、本発明にかかる回転ロック機構、光学装置、および撮像装置は、支持部材に対して回転する回転部材の固定に有用であり、特に、鏡筒に対して回転することで鏡筒内に保持されたレンズを光軸方向に移動させるフォーカスリングの固定に適している。
【図面の簡単な説明】
【００６８】
【図１】実施の形態１のズームレンズ装置を示す断面図である。
【図２】回転ロック機構を示す斜視図である。
【図３】ビス孔部材を示す斜視図である。
【図４】回転ロック機構の取り付け工程について説明する説明図（その１）である。
【図５】回転ロック機構の取り付け工程について説明する説明図（その２）である。
【図６】回転ロック機構の取り付け工程について説明する説明図（その３）である。
【図７】回転ロック機構の取り付け工程について説明する説明図（その４）である。
【図８】実施の形態２のズームレンズ装置が備えるロックビスを示す側面図である。
【符号の説明】
【００６９】
１００  ズームレンズ装置
１０２  主鏡筒
１０９  フォーカスリング
１１３  回転ロック機構
１１５  ロックビス
２０２  バネ
８００  ロックビス
【図１】
2008052193.tif 000003
【図２】
2008052193.tif 000004
【図３】
2008052193.tif 000005
【図４】
2008052193.tif 000006
【図５】
2008052193.tif 000007
【図６】
2008052193.tif 000008
【図７】
2008052193.tif 000009
【図８】
2008052193.tif 000010